【手続補正書】
【提出日】平成17年3月22日(2005.3.22)
【手続補正１】
【補正対象書類名】明細書
【補正対象項目名】発明の名称
【補正方法】変更
【補正の内容】
【発明の名称】情報処理システム及び情報処理装置及び情報処理方法及びそれを実現するプログラム
【手続補正２】
【補正対象書類名】明細書
【補正対象項目名】特許請求の範囲
【補正方法】変更
【補正の内容】
【特許請求の範囲】
【請求項１】
ブラウザ機能を有する通信端末に対して画像を提供する情報処理装置であって、
オリジナルの画像情報を保管する保管手段と、
前記保管手段により保管されたオリジナルの画像情報を複製して、複製画像情報を作成する複製手段と、
通信端末からの画像要求に応答して、前記複製手段により作成された複製画像情報と前記画像要求のセッション情報とを関連付けて管理するセッション画像管理手段と、
前記通信端末からの画像要求に含まれるセッション情報が前記セッション画像管理手段により管理されているか否かを判断する判断手段と、
前記判断手段によりセッション情報が前記セッション画像管理手段により管理されていると判断されれば、前記セッション情報と関連付けられた複製画像情報を前記通信端末宛に送信するよう制御する送信制御手段とを備えることを特徴とする情報処理装置。
【請求項２】
前記送信制御手段は、前記複製画像情報とともに前記セッション情報も送信するよう制御することを特徴とする請求項１に記載の情報処理装置。
【請求項３】
前記セッション画像管理手段は、前記通信端末からの画像要求に応答して、画像要求された画像に関する情報もしくは画像要求元のユーザに関する情報に基づき、セッション情報を生成する生成手段とを更に備えることを特徴とする請求項１に記載の情報処理装置。
【請求項４】
ブラウザ機能を有する通信端末に対して画像を提供する情報処理方法であって、
オリジナルの画像情報を保管するステップと、
前記保管されたオリジナルの画像情報を複製して、複製画像情報を作成するステップと、
通信端末からの画像要求に応答して、前記作成された複製画像情報と前記画像要求のセッション情報とを関連付けて管理するステップと、
前記通信端末からの新たな画像要求に含まれるセッション情報が既に管理されているか否かを判断するステップと、
前記セッション情報が既に管理されていると判断されれば、前記セッション情報と関連付けられた複製画像情報を前記通信端末宛に送信するよう制御するステップとを備えることを特徴とする情報処理方法。
【請求項５】
ブラウザ機能を有する通信端末に対して画像を提供する情報処理装置が実行するプログラムであって、
オリジナルの画像情報を保管するステップと、
前記保管されたオリジナルの画像情報を複製して、複製画像情報を作成するステップと、
通信端末からの画像要求に応答して、前記作成された複製画像情報と前記画像要求のセッション情報とを関連付けて管理するステップと、
前記通信端末からの新たな画像要求に含まれるセッション情報が既に管理されているか否かを判断するステップと、
前記セッション情報が既に管理されていると判断されれば、前記セッション情報と関連付けられた複製画像情報を前記通信端末宛に送信するよう制御するステップとを有することを特徴とするプログラム。
【請求項６】
ブラウザ機能を有する通信端末及び前記通信端末に対して画像を提供する情報処理装置とを含む情報提供システムであって、
前記情報処理装置は、
オリジナルの画像情報を保管する保管手段と、
前記保管手段により保管されたオリジナルの画像情報を複製して、複製画像情報を作成する複製手段と、
通信端末からの画像要求に応答して、前記複製手段により作成された複製画像情報と前記画像要求のセッション情報とを関連付けて管理するセッション画像管理手段と、
前記通信端末からの画像要求に含まれるセッション情報が前記セッション画像管理手段により管理されているか否かを判断する判断手段と、
前記判断手段によりセッション情報が前記セッション画像管理手段により管理されていると判断されれば、前記セッション情報と関連付けられた複製画像情報を前記通信端末宛に送信するよう制御する送信制御手段とを備え、
前記通信端末は、
前記送信制御手段により制御されて送信された複製画像情報に基づきディスプレイに画像を表示するよう制御する表示制御を備えることを特徴とする情報処理システム。
【手続補正３】
【補正対象書類名】明細書
【補正対象項目名】０００１
【補正方法】変更
【補正の内容】
【０００１】
【発明の属する技術分野】
本発明は、情報処理装置が記憶する画像を通信端末に閲覧させるための情報処理システム及び情報処理装置及び情報処理方法及びそれを実現するプログラムに関するものである。
【手続補正４】
【補正対象書類名】明細書
【補正対象項目名】０００７
【補正方法】変更
【補正の内容】
【０００７】
本発明は、画像閲覧ユーザに対して安定して画像を提供すること、また、画像編集ユーザが画像閲覧ユーザを気にすることなく画像の編集作業を行えるようにすることを目的とする。
【手続補正５】
【補正対象書類名】明細書
【補正対象項目名】０００８
【補正方法】変更
【補正の内容】
【０００８】
【課題を解決するための手段】
上記目的を解決するために、本発明の情報処理装置は、ブラウザ機能を有する通信端末に対して画像を提供する情報処理装置であって、オリジナルの画像情報を保管する保管手段と、前記保管手段により保管されたオリジナルの画像情報を複製して、複製画像情報を作成する複製手段と、通信端末からの画像要求に応答して、前記複製手段により作成された複製画像情報と前記画像要求のセッション情報とを関連付けて管理するセッション画像管理手段と、前記通信端末からの画像要求に含まれるセッション情報が前記セッション画像管理手段により管理されているか否かを判断する判断手段と、前記判断手段によりセッション情報が前記セッション画像管理手段により管理されていると判断されれば、前記セッション情報と関連付けられた複製画像情報を前記通信端末宛に送信するよう制御する送信制御手段とを備えることを特徴とする。
【手続補正６】
【補正対象書類名】明細書
【補正対象項目名】０００９
【補正方法】変更
【補正の内容】
【０００９】
ここで、前記送信制御手段は、前記複製画像情報とともに前記セッション情報も送信するよう制御する。また、前記セッション画像管理手段は、前記通信端末からの画像要求に応答して、画像要求された画像に関する情報もしくは画像要求元のユーザに関する情報に基づき、セッション情報を生成する生成手段とを更に備える。
【手続補正７】
【補正対象書類名】明細書
【補正対象項目名】００１０
【補正方法】変更
【補正の内容】
【００１０】
又、本発明の情報処理方法は、ブラウザ機能を有する通信端末に対して画像を提供する情報処理方法であって、オリジナルの画像情報を保管するステップと、前記保管されたオリジナルの画像情報を複製して、複製画像情報を作成するステップと、通信端末からの画像要求に応答して、前記作成された複製画像情報と前記画像要求のセッション情報とを関連付けて管理するステップと、前記通信端末からの新たな画像要求に含まれるセッション情報が既に管理されているか否かを判断するステップと、前記セッション情報が既に管理されていると判断されれば、前記セッション情報と関連付けられた複製画像情報を前記通信端末宛に送信するよう制御するステップとを備えることを特徴とする。
【手続補正８】
【補正対象書類名】明細書
【補正対象項目名】００１１
【補正方法】変更
【補正の内容】
【００１１】
又、本発明の情報処理装置が実行するプログラムは、ブラウザ機能を有する通信端末に対して画像を提供する情報処理装置が実行するプログラムであって、オリジナルの画像情報を保管するステップと、前記保管されたオリジナルの画像情報を複製して、複製画像情報を作成するステップと、通信端末からの画像要求に応答して、前記作成された複製画像情報と前記画像要求のセッション情報とを関連付けて管理するステップと、前記通信端末からの新たな画像要求に含まれるセッション情報が既に管理されているか否かを判断するステップと、前記セッション情報が既に管理されていると判断されれば、前記セッション情報と関連付けられた複製画像情報を前記通信端末宛に送信するよう制御するステップとを有することを特徴とする。
【手続補正９】
【補正対象書類名】明細書
【補正対象項目名】００１２
【補正方法】変更
【補正の内容】
【００１２】
又、本発明の情報処理システムは、ブラウザ機能を有する通信端末及び前記通信端末に対して画像を提供する情報処理装置とを含む情報提供システムであって、前記情報処理装置は、オリジナルの画像情報を保管する保管手段と、前記保管手段により保管されたオリジナルの画像情報を複製して、複製画像情報を作成する複製手段と、通信端末からの画像要求に応答して、前記複製手段により作成された複製画像情報と前記画像要求のセッション情報とを関連付けて管理するセッション画像管理手段と、前記通信端末からの画像要求に含まれるセッション情報が前記セッション画像管理手段により管理されているか否かを判断する判断手段と、前記判断手段によりセッション情報が前記セッション画像管理手段により管理されていると判断されれば、前記セッション情報と関連付けられた複製画像情報を前記通信端末宛に送信するよう制御する送信制御手段とを備え、前記通信端末は、前記送信制御手段により制御されて送信された複製画像情報に基づきディスプレイに画像を表示するよう制御する表示制御を備えることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】０１８１
【補正方法】変更
【補正の内容】
【０１８１】
【発明の効果】
以上説明したように、本発明によれば、画像閲覧ユーザに対して安定して画像を提供すること、また、画像編集ユーザが画像閲覧ユーザを気にすることなく画像の編集作業を行えるようにすることが出来る。